(57)【要約】【課題】  空気調和装置の運搬中等においてフィルタ下端部の係り止め部が空気調和装置の本体側から外れて跳ね上がることを防止できるフィルタおよびこれを備えた空気調和装置を提供する。【解決手段】  室内機２内には、吸い込み口１４と室内熱交換器１１との間に、プレフィルタ１５と空気清浄機能を有する空清フィルタ１７とが設けられている。プレフィルタ１５は、プレフィルタ１５の下部に空清フィルタ１７を取り付けるための空清フィルタ保持部１５ｄが形成されている。この空清フィルタ保持部１５ｄに空清フィルタ１７が取り付けられた後、プレフィルタ１５が室内機２へ取り付けられる。【選択図】      図３
2005076996.tif 000002
【特許請求の範囲】
【請求項１】
粒子を含む空気を清浄するために湾曲した状態で空気調和装置に取り付けられるフィルタ（１５，１５’）であって、
前記粒子を捕集する捕集部（１５ｂ）と、
前記捕集部（１５ｂ）を保持するフィルタ枠（１５ａ）と、
前記空気調和装置（２）の本体に取り付けられるために前記フィルタ枠（１５ａ）の下端部に形成された係り止め部（１５ｃ）と、
前記係り止め部（１５ｃ）近傍の剛性を上げるために前記フィルタ枠（１５ａ）に形成された補強部（１５ｄ，１５ｇ）と、
を備えたフィルタ（１５，１５’）。
【請求項２】
前記補強部（１５ｄ）は、空気清浄機能を有する空清フィルタ（１７）を取り付けるための空清フィルタ保持部（１５ｄ）を兼ねている、
請求項１に記載のフィルタ（１５）。
【請求項３】
前記空清フィルタ保持部（１５ｄ）に取り付けられた前記空清フィルタ（１７）を備えている、
請求項２に記載のフィルタ（１５）。
【請求項４】
前記補強部（１５ｄ）は、前記空気調和装置（２）に取り付けられた前記空清フィルタ（１７）における縦方向の長さと同等程度の長さで形成されている、
請求項３に記載のフィルタ（１５）。
【請求項５】
前記補強部（１５ｄ，１５ｇ）は、前記空気調和装置本体に取り付けられた状態における縦方向に沿って３０ｍｍ以上の長さで形成されている、
請求項１から４のいずれか１項に記載のフィルタ（１５，１５’）。
【請求項６】
前記補強部（１５ｄ，１５ｇ）は、前記空気調和装置（２）本体に取り付けられた状態における横方向の両端に形成されている、
請求項１から５のいずれか１項に記載のフィルタ（１５，１５’）。
【請求項７】
調和空気を屋内に供給するための空気調和装置（２）であって、
前記屋内の空気を吸い込んで調和空気を再び屋内へ供給する送風部（１２）と、
前記送風部（１２）により吸い込まれた空気を調和する空気調和部（１１）と、
前記送風部（１２）により発生する空気流れにおける前記空気調和部（１１）より上流側に設置された請求項１から６のいずれか１項に記載のフィルタ（１５，１５’）と、
を備えた空気調和装置（２）。
【発明の詳細な説明】
【技術分野】
【０００１】
本発明は、空気中に含まれる塵や埃等を採取するために空気調和装置等に取り付けられるフィルタおよびこれを備えた空気調和装置に関する。
【背景技術】
【０００２】
従来から、ビルや住宅等において調和された空気を室内に送風することにより、室内の快適性を向上させる空気調和装置が知られている。例えば、エアコンは、室内の空気を吸い込み、吸い込んだ空気を冷却または加熱することにより、冷風や温風を室内に供給することができる。
このような空気調和装置においては、空気調和装置内に吸い込まれる室内の空気中に含まれる比較的大きな塵や埃を分離および除去するためのフィルタが設置されている。
【０００３】
このようなフィルタは、主として、塵や埃を採取するネットと、ネットを囲むフレームとで構成されている。そして、空気調和装置の側面から見て湾曲された状態で、空気調和装置の吸気が行われる上面から前面にかけて設けられている（特許文献１参照）。
【特許文献１】特開平９−１２２４２２号公報（公開日：平成９年５月１３日）
【発明の開示】
【発明が解決しようとする課題】
【０００４】
しかしながら、上記従来の空気調和装置では、以下に示すような問題点を有している。
すなわち、従来の空気調和装置では、図６に示すように、フィルタ１０１が湾曲された状態で空気調和装置１００本体に取り付けられている。このフィルタ１０１の取り付けは、通常、空気調和装置１００の本体側へ形成された溝等に沿ってフィルタ１０１の上部１０１ａから挿入され、最後にフィルタ１０１の下端部に形成された係り止め部１０１ｂを空気調和装置１００本体側に形成された爪部１０２等に引っ掛けることで行われる。このため、湾曲した状態で取り付けられたフィルタ１０１には常に曲げ応力がかかっていることになる。よって、空気調和装置の運搬中の振動等によって、フィルタ１０１の下端部の係り止め部１０１ｂが空気調和装置１００本体の爪部１０２から外れてしまうおそれがあるという問題がある。
【０００５】
さらに、特許文献１および２に開示されている空気調和装置では、図６に示すように、空気清浄フィルタ１０３がフィルタ１０１の湾曲部分１０１ｃに取り付けられているため、湾曲部分１０１ｃの剛性が増してさらにフィルタ１０１の下端部に形成された係り止め部１０１ｂが空気調和装置１００本体から外れて跳ね上がりやすくなってしまうという問題がある。
【０００６】
本発明の課題は、空気調和装置の運搬中等においてフィルタ下端部の係り止め部が空気調和装置の本体側から外れて跳ね上がることを防止できるフィルタおよびこれを備えた空気調和装置を提供することにある。
【課題を解決するための手段】
【０００７】
請求項１に記載のフィルタは、粒子を含む空気を清浄するために湾曲した状態で空気調和装置に取り付けられるフィルタである。そして、粒子を捕集する捕集部と、捕集部を保持するフィルタ枠と、空気調和装置の本体に取り付けられるためにフィルタ枠の下端部に形成された係り止め部とを有している。さらに、本発明のフィルタは、係り止め部近傍の剛性を上げるためにフィルタ枠に形成された補強部を備えている。
【０００８】
ここでは、空気中の塵や埃を捕集するネット等の捕集部を保持するフィルタ枠の下端部に係り止め部を有している。この係り止め部は、空気調和装置本体側に形成されている爪部材等に引っ掛けて固定するために形成されている。
このような構成のフィルタは、通常、空気調和装置本体側へ形成された溝等に沿ってフィルタの上部から挿入され、最後にフィルタの下端部に形成された係り止め部を空気調和装置本体側に形成された爪部等に引っ掛けることで空気調和装置へ取り付けられる。このとき、フィルタは空気調和装置の上面から前面にかけて配置されるため、湾曲した状態で空気調和装置の内部に配置されている。よって、空気調和装置に取り付けられたフィルタには、常に曲げ応力が加えられた状態となる。
【０００９】
本発明のフィルタでは、係り止め部近傍（フィルタ下部）の剛性を向上させる補強部を有している。これにより、係り止め部近傍においてフィルタがたわみにくくすることができる。このように、係り止め部近傍の剛性を従来よりも高めることにより、空気調和装置の運搬中等において振動によってフィルタがたわんでしまい、室内機本体に形成された爪部等から係り止め部が外れて湾曲したフィルタが元の形状に戻ろうとして跳ね上がることを防止できる。
【００１０】
なお、この補強部としては、フィルタ下部のフィルタ枠に沿って形成されたリブ等であってもよいし、後述する空清フィルタ保持部がそのフィルタ下部の剛性を高める機能を有することで補強部を兼ねていてもよい。また、フィルタ下部とは、フィルタを空気調和装置に取り付けた際にフィルタの下になる部分である。以下の説明で用いる「上下方向」、「横方向」についても同様に、フィルタを空気調和装置に取り付けた際の状態を基準とした方向をいうものとする。
【００１１】
請求項２に記載のフィルタは、請求項１に記載のフィルタであって、補強部は、空気清浄機能を有する空清フィルタを取り付けるための空清フィルタ保持部を兼ねている。
ここでは、空清フィルタ保持部を補強部としてフィルタの下部に形成している。これにより、補強部としてのリブ等を別途設けなくても、フィルタ下部の剛性が向上して、係り止め部近傍においてフィルタがたわみにくくすることができる。さらに、従来のフィルタでは空気調和装置へ取り付けた状態において湾曲する部分に取り付けられていた空清フィルタをフィルタの下部に取り付けている。これにより、湾曲部分におけるフィルタの剛性を低くすることができる。以上により、フィルタ下端部の係り止め部が空気調和装置本体に形成された固定爪等から外れてフィルタが跳ね上がることを防止できる。
【００１２】
請求項３に記載のフィルタは、請求項１または２に記載のフィルタであって、空清フィルタ保持部に取り付けられた空清フィルタを備えている。
ここでは、空清フィルタ保持部に空清フィルタを取り付けることで、さらにフィルタ下部の剛性が向上してフィルタの跳ね上がりを防止できる。
請求項４に記載のフィルタは、請求項３に記載のフィルタであって、補強部は、空気調和装置に取り付けられた空清フィルタにおける縦方向の長さと同等程度の長さで形成されている。
【００１３】
ここでは、空清フィルタの取り付け部分に沿って空清フィルタの縦方向の長さと同等の長さを有する補強部を形成している。これにより、空清フィルタを取り付けるためのスペースを確保してスペースの有効活用ができる。さらに、跳ね上がりを防止するために十分な剛性を確保することができる。
請求項５に記載のフィルタは、請求項１から４のいずれか１項に記載のフィルタであって、補強部は、空気調和装置本体に取り付けられた状態における縦方向に沿って３０ｍｍ以上の長さで形成されている。
【００１４】
ここでは、補強部の最低長さを規定することで、フィルタの下端部においてフィルタの跳ね上がり防止に十分な剛性を確保できる。
請求項６に記載のフィルタは、請求項１から５のいずれか１項に記載のフィルタであって、補強部は、空気調和装置本体に取り付けられた状態における横方向の両端に形成されている。
【００１５】
ここでは、フィルタが空気調和装置に取り付けられた状態における左右両端部分に補強部を形成している。これにより、フィルタ両端の補強部の内側に空清フィルタの取り付けスペースを確保できるとともに、フィルタ下部の剛性を高くしてフィルタの跳ね上がりを防止できる。
請求項７に記載の空気調和装置は、調和空気を屋内に供給するための空気調和装置であって、屋内の空気を吸い込んで調和空気を再び屋内へ供給する送風部と、送風部により吸い込まれた空気を調和する空気調和部と、送風部により発生する空気流れにおける空気調和部より上流側に設置された請求項１から６のいずれか１項に記載のフィルタと、を備えている。
【００１６】
本発明の空気調和装置は、フィルタ下部の剛性が高く空気調和装置から外れにくいフィルタを備えているため、空気調和装置の運搬中において振動等が加えられた場合でも、不フィルタの跳ね上げを防止することができる。
【発明の効果】
【００１７】
請求項１に記載のフィルタによれば、空気調和装置の運搬中等において、湾曲したフィルタが元の形状に戻ろうとして跳ね上がることを防止できる。
請求項２に記載のフィルタによれば、補強部としてのリブ等を別途設けなくても、空気調和装置の運搬中等においてフィルタが跳ね上がることを防止できる。
請求項３に記載のフィルタによれば、さらにフィルタ下部の剛性が向上してフィルタの跳ね上がりを防止できる。
【００１８】
請求項４に記載のフィルタによれば、空清フィルタを取り付けるためのスペースを確保してスペースの有効活用ができるとともに、フィルタの跳ね上がりを防止するために十分な剛性を確保することができる。
請求項５に記載のフィルタによれば、フィルタの下部においてフィルタの跳ね上がり防止に十分な剛性を確保できる。
【００１９】
請求項６に記載のフィルタによれば、フィルタ両端の補強部の内側に空清フィルタの取り付けスペースを確保できるとともに、フィルタ下部の剛性を高くしてフィルタの跳ね上がりを防止できる。
請求項７に記載の空気調和装置によれば、空気調和装置の運搬中において振動等が加えられた場合でも、フィルタの跳ね上げを防止することができる。
【発明を実施するための最良の形態】
【００２０】
＜空気調和装置の構成＞
図１に本発明の一実施の形態が採用される空気調和装置１の外観図を示す。
空気調和装置１は、冷暖房や除湿などが行われた調和空気を室内に送風し、室内の空気の調和を行う装置である。この空気調和装置１は、室内の壁面上部に取り付けられる室内機２と、室外に設置される室外機３と備えている。室外機３は、室外熱交換器や室外ファンなどを収納する室外空調ユニット５を備えている。
【００２１】
室内機２内には室内熱交換器が収納され、室外空調ユニット５内には室外熱交換器が収納されており、各熱交換器およびこれらの熱交換器を接続する冷媒配管６が、冷媒回路を構成している。
空気調和装置１で用いられる冷媒回路の系統図を図２に示す。
室内機２内には、室内熱交換器１１が設けられている。この室内熱交換器１１は、長さ方向両端で複数回折り返されている伝熱管と、伝熱管が挿し通される複数のフィンとから構成される。この室内熱交換器１１は、接触する空気との間で熱交換を行う。
【００２２】
また、室内機２内には、クロスフローファン１２が設けられている。このクロスフローファン１２は、室内の空気を吸い込むとともに、室内熱交換器１１との間で熱交換を行った後の空気を室内に吹き出す。クロスフローファン１２は、円筒形状に構成され、周面には回転軸方向に羽根が設けられている。そして、クロスフローファン１２は、回転軸と交わる方向に空気流を生成する。このクロスフローファン１２は、室内機２内に設けられるファンモータ１３によって回転駆動される。
【００２３】
室外空調ユニット５には、圧縮機２１と、四路切換弁２２と、アキュムレータ２３と、室外熱交換器２４と、減圧器２５とが設けられている（図２参照）。四路切替弁２２は、圧縮機２１の吐出側に接続される。アキュムレータ２３は、圧縮機２１の吸入側に接続される。室外熱交換器２４は、四路切換弁２２に接続される。減圧器２５は、室外熱交換器２４に接続された電動膨張弁である。また、減圧器２５は、フィルタ２６および液閉鎖弁２７を介して配管３１に接続されており、配管３１を介して室内熱交換器１１の一端と接続される。さらに、四路切換弁２２は、ガス閉鎖弁２８を介して配管３２に接続されており、この配管３２を介して室内熱交換器１１の他端と接続されている。この配管３１，３２は図１の冷媒配管６に相当する。
【００２４】
図３に、室内機２のIII−III断面図を示す。室内機２には、室内の空気を空気調和装置１内に取り込むための吸い込み口１４が設けられている（図１参照）。さらに、室内機２内には、吸い込み口１４と室内熱交換器１１との間に、プレフィルタ（フィルタ）１５と空気清浄機能を有する空清フィルタ１７とが設けられている。なお、プレフィルタ１５および空清フィルタ１７は、クロスフローファン１２が回転することによって発生する空気流れにおける室内熱交換器１１より上流側に設けられている。
【００２５】
プレフィルタ１５は、空気調和装置１内に取り込まれる室内の空気中に含まれる比較的大きい埃や塵などを濾し取る。そして、プレフィルタ１５は、吸い込み口１４が設けられている室内機２の上面から前面にかけて配置されており、室内機２内で湾曲した状態で保持されている。また、その取り付けは、プレフィルタ１５の上部から順次室内機２内へ挿入され、最後にプレフィルタ１５の下端部に形成された係り止め１５ｃが室内機２の前面フレームに形成されている引っ掛け爪１６にはめ込まれることで行われる。
【００２６】
空清フィルタ１７は、プレフィルタ１５によって濾しきれない花粉や塵などの空気中の微粒子を濾し取る。そして、空清フィルタ１７は、プレフィルタ１５の下部に形成された空清フィルタ保持部１５ｄに取り付けられた後、プレフィルタ１５とともに室内機２の前面側に取り付けられている。
＜プレフィルタおよび空清フィルタの構成＞
図４に、プレフィルタ１５および空清フィルタ１７の斜視図を示す。
【００２７】
プレフィルタ１５は、図４に示すように、フレーム１５ａ、ネット（捕集部）１５ｂ、係り止め（係り止め部）１５ｃおよび空清フィルタ保持部１５ｄを有している。
フレーム１５ａは空気中の塵や埃を捕集するために全面に張られたネット１５ｂを保持している。係り止め１５ｃは、図３に示すように、室内機２の前面側のフレームに形成された引っ掛け爪１６に引っ掛けるようにして取り付けられる。このように、係り止め１５ｃを引っ掛け爪１６にはめ込むことで、平面状に形成されたプレフィルタ１５を湾曲させた状態で室内機２内へ取り付けることができる。
【００２８】
空清フィルタ１７は、フィルタフレーム１７ａとフィルタ濾材１７ｂとを備えている。フィルタフレーム１７ａは、フィルタ濾材１７ｂが装着される空清フィルタ１７の枠材である。フィルタ濾材１７ｂは、プレフィルタ１５によって濾しきれない花粉や塵などの空気中の微粒子を濾し取り、空気を清浄する。フィルタ濾材１７ｂとしては、静電フィルタ、光触媒フィルタなどがある。また、フィルタ濾材には、これらのフィルタを機能させるための装置なども含まれる。
【００２９】
本実施形態のプレフィルタ１５では、特に、図４に示すように、プレフィルタ１５の下部１５ｅの部分に空清フィルタ１７を取り付けるための空清フィルタ保持部１５ｄが形成されている。この空清フィルタ保持部１５ｄに空清フィルタ１７が取り付けられた後、プレフィルタ１５が室内機２へ取り付けられる。空清フィルタ保持部１５ｄは、プレフィルタ１５のフレーム１５ａの縦方向に沿って、空清フィルタ１７の縦方向における長さ程度の長さで形成されている。これにより、プレフィルタ１５の下部１５ｅにおける剛性を高めることができる。
【００３０】
空気調和装置１では、以上のような構成の各フィルタを備えていることで、室内機２内に吸い込んだ室内の空気を清浄して室内に送風している。
なお、本実施形態において説明する縦方向および横方向とは、プレフィルタ１５および空清フィルタ１７がともに室内機２へ取り付けられた状態を基準とする各方向をいうものとする。
【００３１】
＜本実施形態の空気調和装置の特徴＞
（１）
本実施形態では、図３および図４に示すように、プレフィルタ１５の下部１５ｅの部分に空清フィルタ１７を取り付けるための空清フィルタ保持部１５ｄが形成されている。
従来の空気調和装置では、空清フィルタ１７の取り付けスペース確保の関係からフィルタを室内機内へ取り付けた状態での湾曲部付近に空清フィルタが取り付けられていた。このため、フィルタの曲げ応力に加えて空清フィルタによる応力も加えられて、平面状で形成されたフィルタが元の形状に戻ろうとする力が増大し、さらにフィルタの下端部に形成された係り止めが室内機側の引っ掛け爪から外れて跳ね上がりという問題が発生しやすい状態となっていた。また、フィルタのフレームは、通常、全体で均一の厚さになるように形成されている。ここで、室内機に取り付けられる際にはフィルタを湾曲される必要があるため、フィルタのフレームは比較的たわみやすい程度の剛性を有する。よって、フィルタの係り止めを室内機へ取り付けるフィルタ下部においても、湾曲部と同程度のたわみやすさを有していることになり、係り止めが室内機の引っ掛け爪から外れやすくなっていた。
【００３２】
そこで、本実施形態のプレフィルタ１５では、プレフィルタ１５の下部１５ｅの部分に、空清フィルタ保持部１５ｄを形成している。これにより、第１にフィルタの湾曲部１５ｆにおける剛性を低下させることができ、第２にプレフィルタ１５の下端部に形成された係り止め１５ｃの近傍、つまりプレフィルタ１５の下部１５ｅにおける剛性を高めることができるという利点が得られる。よって、プレフィルタ１５の係り止め１５ｃが室内機２の引っ掛け爪１６から外れて跳ね上がろうとする力を低下させるとともに、係り止め１５ｃ付近のフィルタの剛性を高めてたわみにくくすることで、効果的にプレフィルタ１５の跳ね上がり現象を防止できる。
【００３３】
さらに、空清フィルタ保持部１５ｄをプレフィルタ１５の下部１５ｅに形成することで、空清フィルタ保持部１５ｄにプレフィルタ１５下部における補強部としての機能を兼ねさせることができる。これにより、補強部として、プレフィルタ１５の下部１５ｅにリブ等を別途形成しなくても、プレフィルタ１５の跳ね上がり現象を防止することができる。
（２）
本実施形態では、プレフィルタ１５の下部１５ｅの部分に空清フィルタ１７が取り付けられている。
【００３４】
これにより、プレフィルタ１５の下端部に形成された係り止め１５ｃ近傍、つまりプレフィルタ１５の下部１５ｅにおける剛性をさらに高めてたわみにくくすることができる。よって、係り止め１５ｃが室内機２の引っ掛け爪１６から外れてプレフィルタ１５が跳ね上がることをさらに効果的に防止できる。
（３）
本実施形態では、プレフィルタ１５の下部１５ｅに形成された空清フィルタ保持部１５ｄが、プレフィルタ１５のフレーム１５ａの縦方向に沿って空清フィルタ１７の縦方向における長さと同程度になるように形成されている。
【００３５】
このように、補強部としての機能も有する空清フィルタ保持部１５ｄを空清フィルタ１７の縦方向の長さを基準として形成することで、プレフィルタ１５の下部１５ｅに十分な剛性を持たせることができ、プレフィルタ１５の跳ね上がりを防止することができる。
（４）
本実施形態のプレフィルタ１５は、図４に示すように、補強部としての空清フィルタ保持部１５ｄをプレフィルタ１５の両端に有している。
【００３６】
これにより、特にたわみやすいプレフィルタ１５の両端における剛性を高めることができるため、より効果的にプレフィルタ１５の跳ね上がりを防止できる。
特に、本実施形態のように空清フィルタ保持部１５ｄが補強部としての機能も兼ねているような場合には、空清フィルタ保持部１５ｄをプレフィルタ１５の両端に設けることは空清フィルタ１７を保持する観点からも望ましい。
【００３７】
なお、図４に示す空清フィルタ保持部１５ｄおよび図５に示す補強リブ１５ｇは、厳密にはプレフィルタ１５の両端部分に形成されていない。しかし、これはプレフィルタ１５の形状に突出した持ち手部分があるためである。このような場合には、持ち手部分を除いたプレフィルタ１５の両端に設けられていればよいものとする。
＜他の実施形態＞
以上、本発明の一実施形態について説明したが、本発明は上記実施形態に限定されるものではなく、発明の要旨を逸脱しない範囲で種々の変更が可能である。
【００３８】
（Ａ）
上記実施形態では、プレフィルタ１５の下部１５ｅに空清フィルタ１７を取り付けるための空清フィルタ保持部１５ｄが形成されており、空清フィルタ保持部１５ｄが補強部としての機能も兼ね備えている例を挙げて説明した。しかし、本発明はこれに限定されるものではなく、必ずしも空清フィルタ保持部１５ｄがプレフィルタ１５に形成されている必要はない。
【００３９】
例えば、図５に示すように、プレフィルタ１５’の下部１５ｅに補強リブ（補強部）１５ｇが形成されていてもよい。このような場合でも、プレフィルタ１５’の下部１５ｅの剛性が高くなるため、下部１５ｅの部分がたわみにくくなることから、上記実施形態のプレフィルタ１５と同様に、空気調和装置の運搬中等において係り止め１５が室内機２に形成された引っ掛け爪１６から外れてプレフィルタ１５’が跳ね上がることを防止できる。なお、補強部として図５に示す補強リブ１５ｇを形成した場合には、その長さが３０ｍｍ以上になるように形成されていることが好ましい。これにより、プレフィルタ１５の下部１５ｅにおける剛性を十分に確保して、プレフィルタ１５の跳ね上がりを防止できる。また、上記実施形態と同様に、補強リブ１５ｇについても図５に示すようにプレフィルタ１５の両端に形成していることが好ましい。
【００４０】
また、図４に示す空清フィルタ保持部１５ｄおよび図５に示す補強リブ１５ｇが両方とも形成されていてもよい。これにより、プレフィルタ下部１５ｅの剛性をさらに高めることができるため、より確実にプレフィルタ１５の跳ね上がりを防止できる。
（Ｂ）
上記実施形態では、補強部として形成された空清フィルタ保持部１５ｄが空清フィルタ１７の縦方向における長さと同等の長さで形成されている例を挙げて説明した。上記実施形態では、空清フィルタ１７を取り付けられる空清フィルタ保持部１５ｄが補強部として機能していたため当然であるが、本発明はこれに限定されるものではない。
【００４１】
例えば、図５に示すように、空清フィルタ１７が取り付けられていない場合でも、補強リブ１５ｇがプレフィルタ１５の縦方向に沿って３０ｍｍ以上の長さで形成されていればよい。この場合でも、３０ｍｍ以上の長さで形成された補強リブ１５ｇであれば、プレフィルタ下部１５ｅの部分の剛性を十分に確保できるため、プレフィルタ１５の跳ね上がりを防止できる。
【００４２】
（Ｃ）
上記実施形態では、補強部として、図４に示す空清フィルタ保持部１５ｄと、図５に示す補強リブ１５ｇを例に挙げて説明した。しかし、本発明はこれに限定されるものではない。補強部の形状、大きさについては、上述した実施形態の例に限定されることなく、プレフィルタ１５の下部１５ｅにおける剛性を持たせることができれば種々の変更が可能である。
【００４３】
また、補強部の形成位置についても、プレフィルタ１５の両端以外にもふれーむ１５ａの横方向に沿って形成されていてもよいし、フレーム１５ａの中央部付近に形成されていてもよい。
（Ｄ）
また、本発明は、粒子を含む空気を清浄するために湾曲した状態で空気調和装置に取り付けられるフィルタであって、前記粒子を捕集する捕集部と、前記捕集部を保持するフィルタ枠と、前記空気調和装置の本体に取り付けられるために前記フィルタ枠の下端部に形成された係り止め部と、空気清浄機能を備えた空清フィルタを取り付けるための空清フィルタ取り付け部と、を備え、前記空清フィルタ保持部は、前記フィルタ枠の下端部に形成された係り止め部の近傍に形成されているフィルタと表現することもできる。
【００４４】
このように、従来フィルタの湾曲部分に取り付けられていた空清フィルタをフィルタ下部に取り付けることでフィルタの湾曲部分の剛性を低くするとともに、係り止め部近傍の剛性を高めることで係り止め部が室内機から外れにくくして、フィルタの跳ね上がりを効果的に防止できる。
【産業上の利用可能性】
【００４５】
本発明は、例えば、空気中の塵や埃を捕獲するためのフィルタを備えた空気調和装置や空気清浄機等に適用可能である。
【図面の簡単な説明】
【００４６】
【図１】本発明の一実施形態に係るフィルタを備えた空気調和システムの構成を示す概略図。
【図２】図１の空気調和システムを構成する室内ユニット、外気供給ユニットおよび室外ユニットの内部構成を示す概略図。
【図３】図１の室内ユニットのIII−III線断面図。
【図４】本発明の一実施形態に係るフィルタを示す斜視図。
【図５】本発明の他の実施形態に係るフィルタを示す斜視図。
【図６】従来のフィルタを備えた空気調和装置の内部の構成を示す断面図。
【符号の説明】
【００４７】
１      空気調和装置
２      室内機（空気調和装置）
３      室外機
１４      通風口
１５      プレフィルタ（フィルタ）
１５ａ    フレーム（フィルタ枠）
１５ｂ    ネット（捕集部）
１５ｃ    係り止め（係り止め部）
１５ｄ    空清フィルタ取付部（空清フィルタ保持部、補強部）
１５ｅ    下部
１５ｆ    湾曲部
１５ｇ    補強リブ（補強部）
１６      引っ掛け爪
１７      空清フィルタ（空気清浄フィルタ）
１７ａ    フィルタフレーム
１７ｂ    フィルタ濾材
【図１】
2005076996.tif 000003
【図２】
2005076996.tif 000004
【図３】
2005076996.tif 000005
【図４】
2005076996.tif 000006
【図５】
2005076996.tif 000007
【図６】
2005076996.tif 000008